(57)【要約】【課題】照明用のリモコンシステムにおいて、煩雑な操作を行うことなくリモコンから所望の照明器具に操作信号を送信し、該照明器具を遠隔操作を行うことができるようにする。【解決手段】リモコンシステム１は、リモコン２と、リモコン２から送信される信号を受信して遠隔操作される複数の照明器具３とを備える。リモコン２は、照明器具３を動作制御するための可視光による光信号を送信する光信号送信部２３を備え、光信号送信部２３から照射される光信号の照射範囲がユーザ操作により調整自在とされている。照明器具３は、照明光の照射方向や照射範囲、照射強度、色合い等を調整可能に構成される。光信号の照射範囲内にある照明器具３は、光信号を受信して当該光信号に基づき動作制御されて、リモコン２での操作に応じて調整された照明光を照射する。そのため、照明器具３を細やかに遠隔操作することができ、且つリモコン２の操作時間を短縮することができる。【選択図】図１
2009129784.tif 000002
【特許請求の範囲】
【請求項１】
リモコンと、前記リモコンから送信される信号を受信して遠隔操作される複数の照明器具とを備えた照明用のリモコンシステムであって、
前記リモコンは、前記照明器具を動作制御するための可視光による光信号を送信する光信号送信部を備え、
前記光信号送信部は、該光信号送信部から送信される光信号の照射範囲が調整自在とされていることを特徴とするリモコンシステム。
【請求項２】
前記リモコンは、調光調色自在の光源を有し、任意の照明光を照射することが可能であり、
前記光信号送信部は、前記任意の照明光に対応した光信号を送信するものであり、該光信号により前記照明器具に該任意の照明光と同じ照明光を照射させることを特徴とする請求項１に記載のリモコンシステム。
【請求項３】
前記リモコンは、ユーザ操作による３次元各方向の動作を検出する動作センサと、該動作に対応付けられる光信号を送信するための情報を記憶するメモリとを有し、
前記光信号送信部は、前記動作センサによる検出結果に基づき、前記メモリを参照して該検出結果に対応付けられる光信号を送信することを特徴とする請求項１又は請求項２に記載のリモコンシステム。
【発明の詳細な説明】
【技術分野】
【０００１】
本発明は、ユーザの操作に応じてリモコンから送信される信号に基づいて、複数の照明器具を動作制御する照明用のリモコンシステムに関する。
【０００２】
従来より、リモコンから送信される信号により照明器具を遠隔操作することが可能な照明用のリモコンシステムが知られている。この種のシステムとして、例えば、操作信号を無線送信するリモコンと、リモコンからの操作信号を受信して動作制御される照明器具とを備え、ユーザがキー操作を行ってリモコンから照明器具に向けて操作信号を送出することで、所望の照明光を得ることが可能なシステムがある。（例えば、特許文献１及び特許文献２等参照）。
【特許文献１】特開２００７−１７３１２０号公報
【特許文献２】特許第３３７６７３７号公報
【発明の開示】
【発明が解決しようとする課題】
【０００３】
しかしながら、上述したような従来のシステムでは、照明器具が広範囲に渡って複数設置されると、ユーザは操作信号を送信する際に、予め設定される操作信号の照射範囲に応じて、複数の照明器具に向けてキー操作を複数回行う必要があり、操作が煩雑になる。また、リモコンの操作信号としては、一般的に赤外線が用いられるため、ユーザはリモコンの照射範囲を視認することができず、遠隔操作を行いたい照明器具のみに操作信号を送信することができない。
【０００４】
本発明は、上記問題を解決するためになされたものであり、煩雑な操作を行うことなくリモコンから所望の照明器具に操作信号を送信し、該照明器具を遠隔操作を行うことができる照明用のリモコンシステムを提供することを目的とする。
【課題を解決するための手段】
【０００５】
上記目的を達成するために請求項１の発明は、リモコンと、前記リモコンから送信される信号を受信して遠隔操作される複数の照明器具とを備えた照明用のリモコンシステムであって、前記リモコンは、前記照明器具を動作制御するための可視光による光信号を送信する光信号送信部を備え、前記光信号送信部は、該光信号送信部から送信される光信号の照射範囲が調整自在とされているものである。
【０００６】
請求項２の発明は、請求項１に記載の発明において、前記リモコンは、調光調色自在の光源を有し、任意の照明光を照射することが可能であり、前記光信号送信部は、前記任意の照明光に対応した光信号を送信するものであり、該光信号により前記照明器具に該任意の照明光と同じ照明光を照射させるものである。
【０００７】
請求項３の発明は、請求項１又は請求項２に記載の発明において、前記リモコンは、ユーザ操作による３次元各方向の動作を検出する動作センサと、該動作に対応付けられる光信号を送信するための情報を記憶するメモリとを有し、前記光信号送信部は、前記動作センサによる検出結果に基づき、前記メモリを参照して該検出結果に対応付けられる光信号を送信するものである。
【発明の効果】
【０００８】
請求項１の発明によれば、ユーザの視覚で光信号を確認可能であり、且つ光信号の照射範囲を調整自在であるので、ユーザは所望する単一の照明器具のみに光信号を送信したり、複数の照明器具に一度に光信号を送信したりすることができる。そのため、照明器具を細やかに遠隔操作することが可能となり、且つ照明器具を遠隔操作する際に要するリモコンの操作時間を短縮することが可能となる。
【０００９】
請求項２の発明によれば、リモコンから任意の照明光を照射させることにより、ユーザは照明器具に照射させる照明光を光信号を送信する前に予め確認することができるので、照明器具の照明光を簡単に調整することが可能となる。
【００１０】
請求項３の発明によれば、リモコン自体に動作が加えられると、その動作が動作センサによって検出され、その検出結果に対応付けられる光信号が、光信号送信部によって送信されるので、ユーザは直感的に照明器具の照明光を調整することが可能となる。
【発明を実施するための最良の形態】
【００１１】
（第１の実施形態）
本発明の第１の実施形態に係るリモコンシステムについて図１乃至図３を参照して説明する。図１は本実施形態に係るリモコンシステムの概略構成を示す。リモコンシステム（以下、本システムという）１は、リモコン２と、リモコン２から送信される信号を受信して遠隔操作される複数の照明器具３とを備えた照明用のリモコンシステムである。本システム１は、事務所、学校、店舗等の屋内や、屋外に特設されるイベント会場等に配備されるものであり、照明器具３は、本システムを配備した場所での用途に応じて様々な箇所に設置され、例えば、屋内の天井付近に配線ダクト４を介して取り付けられる。ここで、リモコン２から送信される信号の照射範囲は、後述するように、ユーザ操作によって調整自在とされており、照明器具１台分に相当する狭い範囲５や照明器具３台分に相当する広い範囲６に調整される。
【００１２】
図２はリモコンの概略構成を示す。リモコン２は、ユーザにより操作される操作部２１と、各種表示を行う表示部２２と、操作部２１での操作に応じて、照明器具３を動作制御するための光信号を送信する光信号送信部２３と、光信号送信部２３から送信される光信号の照射範囲を調整するズーム機構２４と、上記各部を制御する制御部２５と、リモコン２の電力源である電源部２６とを有する。操作部２１は、表示部２２に表示される内容に対して、決定、取消、選択等のコマンド入力を行うための操作ボタン２１１及び操作スティック２１２で構成される。ユーザは、表示部２２に表示される内容に応じて操作ボタン２１１及び操作スティック２１２を操作することで、リモコン２の電源のオンオフや、照明器具３から照射させる照明光（照明器具３の照明光）の各種設定、光信号の送信指示、光信号の照射範囲の調整等を行う。表示部２２は、ＬＥＤインジケータ２２１と液晶画面２２２で構成されており、リモコン２の電源のオンオフ状態や、照明器具３の照明光の設定情報に関するメッセージ等を表示する。
【００１３】
光信号送信部２３は、ＬＥＤや蛍光灯等の光源で構成されており、光信号をユーザの視覚で確認可能な可視光により送信する。この光信号は、一定間隔に１回ずつ光源を高速に点滅させることでデータを伝送するSC-I-PPM（サブキャリア反転パルス位相変調）等の変調方式を用いて変調処理が行われている。このような方式を用いることで、人間は高速で点滅する光の変化を感知できないために、ユーザはちらつきを感じることなく確実に、光信号送信部２３から送信される光信号の照射範囲を視認することができる。
【００１４】
ズーム機構２４は、信号送信部２３から送信される光信号が透過するズームレンズ等で構成されており、操作部２１での操作により光信号の照射範囲、換言すると光信号の照明器具３への到達範囲が調整自在とされている。
【００１５】
図３は照明器具の概略構成を示す。照明器具３は、照明光の照射方向や照射範囲、照射強度、色合い等を調整可能なスポットライト型の照明器具である。照明器具３は、照明光を照射する光照射部３１と、リモコン２からの光信号を受信する光信号受信部３２と、光信号受信部３２によって受信した光信号に基づき、光照射部３１等を動作制御する制御部３３とを有する。照明器具３は、ジョイント部３４により配線ダクト４と接続され、ジョイント部３４には、モータ等を有して照明光の照射方向（光軸３５の方向）を調整可能な光軸調整機構（図示せず）が内蔵される。この光軸調整機構は、光照射部３１と同様に制御部３３によって動作制御される。
【００１６】
光照射部３１は、蛍光灯や白熱灯、ＬＥＤ等の光源３１１と、光源３１１からの光が透過するズームレンズ等で構成されたズーム機構（図示せず）を有する。光信号受信部３２にはフォトダイオードが内蔵されており、受信した光信号を電気に変換して制御情報を取り出すようになっている。制御部３３は、配線ダクト４内に配線された電力線４１と接続されており、光信号受信部３２にる制御情報に応じて、光源３１１、ズーム機構及び光軸調整機構に必要な電力を電力線４１から供給してこれらの動作制御を行う。
【００１７】
次に、上記のように構成されたリモコンシステム１の動作について説明する。ユーザが操作ボタン２１１及び操作スティック２１２を操作し、照明器具３の照明光の設定を行った後、光信号の送信指示を行うと、リモコン２の光信号送信部２３から光信号が送信される。このとき、ユーザは、予め設定した所定の範囲を操作ボタン２１１により選択することにより光信号の照射範囲を調整する。光信号の照射範囲を狭い範囲５にすると、単一の照明器具３に対して光信号を送信することができ、また光信号の照射範囲を広い範囲６にすると、複数の照明器具３に対して同時に光信号を送信することができる。この光信号の照射範囲は、光信号が照射されていない状態、あるいは光信号が照射されている状態のいずれの場合であっても、調整可能である。光信号の照射範囲内にある照明器具３は、光信号を受信し、受信した光信号に基づき動作制御されて、操作部２１での操作に応じた照明光を照射する。
【００１８】
以上、本実施形態に係るリモコンシステム１によれば、ユーザの視覚で光信号を確認可能であって、光信号の照射範囲をユーザ操作によって調整自在であるので、煩雑な操作を行うことなく、ユーザが所望する照明器具３に光信号を送信することが可能である。そのため、照明器具３を細やかに遠隔操作することが可能となり、且つ照明器具３を遠隔操作する際に要するリモコン２の操作時間を短縮することが可能となる。
【００１９】
（第２の実施形態）
本発明の第２の実施形態に係るリモコンシステムについて図４及び図５を参照して説明する。本システムでは、リモコン２から任意の色合いの照明光を照射できるようにし、この照明光の色合いと同じ照明光を照明器具３が照射するように照明器具３を制御可能とした点で第１の実施形態と相違する。図４は、本実施形態に係るリモコンシステムのリモコンを示す。リモコン２は、第１の実施形態と同様に、操作部２１、表示部２２、光信号送信部２３、ズーム機構２４、制御部２５及び電源部２６を備え、光信号送信部２３が赤、青、緑の３色のＬＥＤで構成された調光調色自在な光源となっている。リモコン２は、操作部２１での操作により、光信号送信部２３において赤、青、緑の光のバランスが調整されて、様々な色合い照明光を照射することが可能となっている。光信号送信部２３は、上記照明光に対応する色合い情報を持った光信号を送信する。ここで、光信号の色合いは、該光信号に対応する照明光と同じである必要はない。換言すると、光信号の色合いは常に同じでかまわない。つまり、光信号送信部２３は、赤、青、緑のいずれか１つ又は複数の光に対して、変調処理を行うことにより光信号を照射する。照明器具３の構成については、上述の図３と同様である。
【００２０】
次に、上記のように構成されたリモコンシステム１において、照明器具の照明光の色合いを調整する際のリモコンの操作手順について図５（ａ）（ｂ）（ｃ）を参照して説明する。まず、図５（ａ）に示すように、ユーザは操作ボタン２１１及び操作スティック２１２を操作して、リモコン２から所定の色合い照明光７を照射させ、この照明光７により照明器具３の照明対象とする対象物８を照明する。ユーザは、このときの対象物８への照明態様を確認し、必要に応じてリモコン２からの照明光７の色合いの調整を行い、所望する照明器具３の照明光の色合い情報を入力する。次に、図５（ｂ）に示すように、ユーザは、入力した色合い情報を持った光信号９を照明器具３に対して送信する。照明器具３は、この光信号９を受信する。これにより、図５（ｃ）に示すように、操作部２１での操作に応じた色合いの照明光１０が照明器具３から照射される。ここで、複数の照明器具３に同じ色合いの照明光１０を照射させる場合には、上述のように、光信号９の照射範囲を拡大することで、リモコン２の操作時間を短縮することができる。このように本実施形態に係るリモコンシステム１によれば、光信号を送信する前に、ユーザは、照明器具３に照射させる照明光を予め確認することができるので、照明器具３に対して光信号を送信する回数を低減することができ、本システムにおける使い勝手が向上する。
【００２１】
（第３の実施形態）
本発明の第３の実施形態に係るリモコンシステムについて図６及び図７を参照して説明する。本システムでは、ユーザがリモコン２に対して様々な動作を加えることにより、照明器具３の照明光を調整できるようにした点で他の実施形態と相違する。図６は、本実施形態に係るリモコンシステムのリモコンを示す。このリモコン２は、第１の実施形態と同様に、操作部２１、表示部２２、光信号送信部２３、ズーム機構２４、制御部２５及び電源部２６とを備え、さらにユーザ操作による３次元各方向の動作を検出する動作センサ２７と、該動作に対応付けられる光信号を送信するための情報（動作情報）を記憶するメモリ２８とを備える。動作センサ２７は、ユーザがリモコン２を所定方向に移動させたり、傾けたり、回転させたりすることによってリモコン２自体に加えられる動作を検出する。動作センサ２７としては、機器に作用する加速度を全ての方向について検出可能な３軸の加速度センサが用いられる。メモリ２８には、上記動作情報として、動作センサ２７の検出結果と照明器具３への制御内容を関連付ける各種制御パラメータが予めプリセットされている。この動作情報については、操作部２１での操作により、カスタマイズを行ったり、新たな制御パラメータを追加することが可能である。光信号送信部２３は、動作センサ２７による検出結果に基づいて、メモリ２８を参照して動作情報を取得し、該検出結果に対応付けられる光信号を送信する。照明器具３の構成については、図３と同様である。
【００２２】
次に、上記のように構成されたリモコンシステム１において、照明器具の照明光を調整する際のリモコンの各種操作例について図７（ａ）（ｂ）（ｃ）を参照して説明する。図７（ａ）は照明器具の照明光の照射方向を調整する際のリモコンの操作例を示す。まず、ユーザは操作ボタン２１１及び操作スティック２１２を操作して、リモコン２の光軸２９の動きに連動して、照明器具３の光軸３５が変化するように予め設定しておく。これにより、照明光１０の照射方向の制御を開始すると、リモコン２の光軸２９の動きを調整することで、光信号７の照射範囲内にある制御対象となる照明器具３の照明光１０の照射方向を調整することが可能となる。なお、リモコン２を動かしたときに、制御対象となる照明器具３が光信号７の照射範囲内から外れないように、リモコン２自体に加えられる動作が微小であっても、照明器具３を制御できるように上述した制御パラメータを設定しておく。
【００２３】
図７（ｂ）は照明器具の照明光の照射範囲を調整する際のリモコンの操作例を示す。まず、ユーザは操作ボタン２１１及び操作スティック２１２を操作し、リモコン２の前後方向（光軸２９方向）の動作に連動して、照明器具３のズーム度合いが変化するように予め設定しておく。これにより、照明光１０のズーム度合いの制御を開始すると、リモコン２を制御対象となる照明器具３に近づけるとズームアップし、反対に遠ざけるとズームダウンするようになり、上記制御対象となる照明器具３の照明光１０の照射範囲を調整することが可能となる。
【００２４】
図７（ｃ）は照明器具の照明光の照射強度又は色合いを調整する際のリモコンの操作例を示す。まず、ユーザは操作ボタン２１１及び操作スティック２１２を操作し、リモコン２の光軸２９方向を中心軸とした回転動作に連動して、該照明光１０の照射強度が変化するように予め設定しておく。これにより、照明光８の照射強度の制御を開始すると、調整ダイヤルを使用するような操作感で、上記制御対象となる照明器具３の照明光１０の照射強度を調整することが可能となる。照明光８の色合いに関しても上記内容と同様にする。このように本実施形態に係るリモコンシステム１によれば、ユーザは、リモコン２を用いて直感的に照明器具３の照明光を調整することが可能となり、使い勝手が一層向上する。
【００２５】
なお、本発明は、上記各種実施形態の構成に限られず、発明の趣旨を変更しない範囲で種々の変形が可能である。例えば、操作スティック２１２での操作入力に連動して、光信号の照射範囲を変化させるようにしたものであってもよい。また、照明器具３に、リモコン２からの光信号を受信したことをユーザに通知するためのインジゲータ等を設けたものであってもよい。
【図面の簡単な説明】
【００２６】
【図１】本発明の第１の実施形態に係るリモコンシステムを示す図。
【図２】同リモコンシステムのリモコンを示す図。
【図３】同リモコンシステムの照明器具を示す図。
【図４】本発明の第２の実施形態に係るリモコンシステムのリモコンを示す図。
【図５】同リモコンシステムにおいて、照明器具の照明光の色合いを調整する際のリモコンの操作手順を示す図。
【図６】本発明の第３の実施形態に係るリモコンシステムのリモコンを示す図。
【図７】（ａ）は同リモコンシステムにおいて、照明器具の照明光の照射方向を調整する際のリモコンの操作例を示す図、（ｂ）は照明光のズーム度合いを調整する際の操作例を示す図、（ｃ）は照明光の照射強度又は色合いを調整する際の操作例を示す図。
【符号の説明】
【００２７】
１  リモコンシステム
２  リモコン
３  照明器具
２３  光信号送信部
２７  動作センサ
２８  メモリ
【図１】
2009129784.tif 000003
【図２】
2009129784.tif 000004
【図３】
2009129784.tif 000005
【図４】
2009129784.tif 000006
【図５】
2009129784.tif 000007
【図６】
2009129784.tif 000008
【図７】
2009129784.tif 000009